(57)【特許請求の範囲】
【請求項１】
記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する第一の面と、カセット蓋のカセット本体に対する挿入方向での位置決めを行う第二の面と、カセット蓋がカセット本体から抜けるのを防止する第三の面と、を備えていることを特徴とする給紙カセット。
【請求項２】
蓋側フック部は、先端を挿入方向に向けて取り付けられたＪ形状をなしており、第一の面をＪ形の下方部に、第二の面をカセット蓋との結合部に、第三の面を先端部に形成していることを特徴とする請求項１記載の給紙カセット。
【請求項３】
記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する面を有し、本体側フック部が、挿入方向に離れた複数個所に設けられていることを特徴とする給紙カセット。
【発明の詳細な説明】
【０００１】
【発明の属する技術分野】
本発明は、ファクシミのように、記録手段と原稿読取手段を備えた記録装置及びそれに用いる給紙カセットに関する。
【０００２】
【従来の技術】
従来、記録装置における記録紙の供給のために、給紙カセットが広く用いられており、また、記録装置の装置本体に対して給紙カセットを一部が突出するように取り付けるタイプの給紙カセットでは、記録紙を収納するカセット本体の上面をカセット蓋で覆う構成のものが使用されている。このタイプの給紙カセットに用いるカセット蓋は、単にカセット本体の外枠上に乗せるという構成であった。
【０００３】
【発明が解決しようとする課題】
しかし、かかる構成の給紙カセットでは、カセット蓋を単にカセット本体の上に乗せているだけであるので外れやすいという問題があった。特に、カセット蓋の挿入方向の後端（なお、本明細書において、給紙カセット及びその部品に関して用いる用語「挿入方向」は、給紙カセットを記録装置に対して挿入する方向を意味し、また、用語「先端」、「後端」はその挿入方向を基準とする）に斜め上方に延びる傾斜部を設け、記録装置から排出される読取後の原稿のスタック用のトレイとして使用したところ、スタックされた原稿の重みでカセット蓋の後端の傾斜部が下方に回動し、従ってカセット蓋の先端がカセット本体から浮き上がり、外れるという問題が生じた。
【０００４】
本発明はかかる問題点に鑑みてなされたもので、給紙カセットのカセット蓋を原稿トレイとして使用しても、カセット蓋が外れることのない記録装置及びそれに用いる給紙カセットを提供することを目的とする。
【０００５】
【課題を解決するための手段】
本発明はカセット蓋が原稿の重みで回動して外れるという問題点を解決するため、カセット蓋の挿入方向先端部に、カセット本体に設けた本体側フック部に係合する蓋側フック部を設け、カセット蓋の挿入方向先端部がカセット本体から浮き上がるのを防止する構成としたものである。この構成により、カセット蓋に読取済の原稿をスタックした時、カセット蓋が原稿の重みで、先端側が浮き上がるように回動しようとしても、蓋側フック部が本体側フック部に引っかかっているので、カセット蓋先端が浮き上がることがなく、これによりカセット蓋が外れるのを防止できる。
【０００８】
【発明の実施の形態】
本発明の一つの実施の形態による給紙カセットは、記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する第一の面と、カセット蓋のカセット本体に対する挿入方向での位置決めを行う第二の面と、カセット蓋がカセット本体から抜けるのを防止する第三の面と、を備えるものである。この構成の給紙カセットは、これを記録手段及び原稿読取手段を内蔵した装置本体に取り付けて記録紙の供給に使用すると共に排出された原稿のスタックのために使用することができ、また、カセット蓋に原稿がスタックされても、カセット蓋先端が浮き上がって外れるということがなく、安定して使用できる。また、この構成とするとカセット蓋のカセット本体に取り付ける際に先ず、蓋側フック部の第二の面を本体側フック部の第二の面に押し当てることでカセット蓋のカセット本体に対する位置決めを行い、次いでカセット蓋を前記第二の面同志を押し当てた状態で回動させてカセット本体に乗せることで、カセット蓋をカセット本体に対する所定位置に容易に装着できる。また、使用中にカセット蓋を誤って後方に引っ張ることがあっても、蓋側フック部の第三の面が本体側フック部の第三の面に突き当たるのでカセット蓋が後方に抜け落ちるということがない。
【０００９】
本発明の更に他の実施形態は、前記した蓋側フック部を、先端を挿入方向に向けて取り付けられたＪ形状とし、第一の面をＪ形の下方部に、第二の面をカセット蓋との結合部に、第三の面を先端部に形成したものである。この構成の蓋側フック部を用いることで簡単な構造で所期の目的を果たすことができる。
【００１０】
本発明の更に他の実施形態は、記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する面を有し、本体側フック部が、挿入方向に離れた複数個所に設けられたものである。この構成により、蓋側フック部を本体側フック部のどれに引っかけるかによって、カセット蓋のカセット本体に対する取付位置を変えることができ、従って、カセット蓋の装置本体からの突出長さを変えることができ、複数サイズの原稿に対応可能となる。
【００１１】
以下、図面に示す本発明の好適な実施例を説明する。図１は本発明の一実施例による記録装置の概略斜視図、図２はその記録装置に用いた給紙カセットの概略断面図、図３はその給紙カセットの概略平面図、図４（ａ）はその給紙カセットに設けている蓋側フック部及び本体側フック部を互いに係合した状態で示す概略断面図、図４（ｂ）はその蓋側フック部及び本体側フック部を外した状態で示す概略断面図、図５はカセット本体にカセット蓋を取り付ける状態を示す概略断面図である。図１〜図５において、１は記録装置全体を示す。この実施例の記録装置１はファクシミリであり、記録紙に対して受信情報を記録する機能と、送信原稿を読み取る機能を備えている。２は装置本体であり、その内部に記録手段及び原稿読取手段を内蔵し、上面に原稿台３を備え、前面側に読取済の原稿を排出する構成となっている。５は給紙カセットであり、一部が装置本体１から前方に突出するように装着され、その上に読取済の原稿をスタックするようになっている。
【００１２】
給紙カセット５は記録紙を収納するカセット本体６とその上面を覆うように取り付けられるカセット蓋７を備えている。このカセット蓋７はその上面が原稿をスタックするためのトレイをなしており、その後端に、原稿が落ちないように受けるための傾斜部７ａを形成している。また、カセット蓋７はその側縁７ｂの下端をカセット本体６の側縁６ａの上縁に乗せる形態で取り付けられている。なお、カセット蓋７がカセット本体６に対して幅方向にずれるのを防止するため、カセット本体６の側縁６ａの上縁には、カセット蓋７の側縁７ｂの内側に嵌まり込む突起が設けられている。
【００１３】
カセット蓋７の両側の挿入方向先端部には蓋側フック部１０が下方に延び出すように形成されており、一方、カセット本体６の上面にはその蓋側フック部１０と係合する本体側フック部１１が形成されている。蓋側フック部１０は、先端を挿入方向に向けて取り付けられたＪ形状をなしており、下方部に上を向いた第一の面１０ａと、カセット蓋との結合部に前を向いた第二の面１０ｂを、先端部に後ろを向いた第三の面１０ｃを備えている。一方、本体側フック部１１は、Ｊ形状を逆にしたような形状をしており、蓋側フック部１０の第一の面１０ａに当接する第一の面１１ａと、蓋側フック部１０の第二の面１０ｂに当接する第二の面１１ｂと、蓋側フック部１０の第三の面１０ｃに当接する第三の面１１ｃとを備えている。また、本体側フック部１１の後方（給紙カセットの挿入方向に関して後方）には、蓋側フック部１０を挿入可能とするための空間１３が形成されている。本体側フック部１１は図２から良く分かるように、挿入方向に間隔をあけた３個所に設けられており、どの本体側フック部１１にも蓋側フック部１０を引っかけることができる構成としている。
【００１４】
上記構成の給紙カセット５において、カセット本体６にカセット蓋７を取り付けるには、図４に示すように、カセット蓋７を先端が下方となるように斜めの状態として、先端の蓋側フック部１０を本体側フック部１１の下に挿入し且つ、蓋側フック部１０の第二の面１０ｂを本体側フック部１１の第二の面１１ｂに押し当てる。これにより、カセット蓋７がカセット本体６に対する前後方向の位置が決まるので、その後はカセット蓋７の後端を下方に回動させ、カセット本体６上にかぶせる。これにより、簡単にカセット蓋７をカセット本体６上の所定位置に取り付けることができる。カセット蓋７を取り外すにはこれと逆の動作を行えば良い。
【００１５】
次に、この給紙カセット５を記録装置１に装着して使用している間に、記録装置１から読取済の原稿が排出されると、その原稿はカセット蓋７の上にスタックされてゆく。このため、スタックされた原稿の重みによって、図２においてカセット蓋７の後端の傾斜部７ａに矢印Ａで示す力が作用し、カセット蓋７の先端を持ち上げようとする。しかしながら、カセット蓋７の先端の蓋側フック部１０が、本体側フック部１１に引っかかるため、カセット蓋７の先端がカセット本体６から浮き上がることはなく、従って、カセット蓋７が回動して外れるということはない。かくして、良好に原稿をスタックできる。また、使用中、誤ってカセット蓋７の傾斜部７ａに手がぶつかるなどして、カセット蓋７に不規則な力が作用しても、蓋側フック部１０と本体側フック部１１の係合によって、カセット蓋７がカセット本体６の前後に動くとか、先端が浮き上がるということがなく、この点からもカセット蓋７がカセット本体６から外れることがない。
【００１６】
なお、読取原稿としてサイズの大きいものを使用する場合には、カセット蓋７の蓋側フック部１０を、カセット本体６に形成している本体側フック部１１のうち、カセット本体６の後ろ側に位置するものに係合させて取り付ける。これにより、カセット蓋７をカセット本体６に対して後方に延び出した位置に取り付けることができ、大きいサイズの原稿を支障なくスタックすることができる。
【００１９】
【発明の効果】
以上の説明から明らかなように、本発明の給紙カセットは、記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する第一の面と、カセット蓋のカセット本体に対する挿入方向での位置決めを行う第二の面と、カセット蓋がカセット本体から抜けるのを防止する第三の面と、を備えるようにしたことにより、この給紙カセットを記録装置の装置本体に取り付けて記録紙の供給に使用すると共に排出された原稿のスタックのために使用することができ、その際、カセット蓋の上に原稿がスタックされても、カセット蓋先端が浮き上がって外れるということがなく、安定して使用できる。そして、カセット蓋をカセット本体に取り付ける際に、先ず、蓋側フック部の第二の面を本体側フック部の第二の面に押し当てることでカセット蓋のカセット本体に対する位置決めを行い、次いでカセット蓋を前記第二の面同志を押し当てた状態で回動させてカセット本体に乗せることで、カセット蓋をカセット本体に対する所定位置に容易に装着でき、また、使用中にカセット蓋を誤って後方に引っ張ることがあっても、蓋側フック部の第三の面が本体側フック部の第三の面に突き当たるのでカセット蓋が後方に抜け落ちることを防止できるという効果が得られる。
【００２０】
また、前記した蓋側フック部を、先端を挿入方向に向けて取り付けられたＪ形状とし、第一の面をＪ形の下方部に、第二の面をカセット蓋との結合部に、第三の面を先端部に形成する構成とすると、簡単な構造で所期の目的を果たすことができるという効果が得られる。
【００２１】
更に、記録紙を収納するカセット本体と、カセット本体を覆うと共に上面に原稿をスタックするためのトレイを形成したカセット蓋とを有し、そのカセット蓋の挿入方向先端部には、前記カセット本体に設けた本体側フック部に係合する蓋側フック部が設けられており、前記本体側フック部と蓋側フック部は互いに当接し、それぞれ、カセット蓋の先端部がカセット本体から浮き上がるのを防止する面を有し、本体側フック部が、挿入方向に離れた複数個所に設ける構成とすると、蓋側フック部を本体側フック部のどれに引っかけるかによって、カセット蓋のカセット本体に対する取付位置を変えることができ、従って、カセット蓋の装置本体からの突出長さを変えることができ、複数サイズの原稿に対応可能となるという効果が得られる。
【図面の簡単な説明】
【図１】本発明の一実施例による記録装置の概略斜視図
【図２】図１に示す記録装置に用いた給紙カセットの概略断面図
【図３】図２に示す給紙カセットの概略平面図
【図４】（ａ）はその給紙カセットに設けている蓋側フック部及び本体側フック部を互いに係合した状態で示す概略断面図
（ｂ）は蓋側フック部及び本体側フック部を外した状態で示す概略断面図
【図５】カセット本体にカセット蓋を取り付ける状態を示す概略断面図
【符号の説明】
１  記録装置
２  装置本体
３  原稿台
５  給紙カセット
６  カセット本体
７  カセット蓋
１０  蓋側フック部
１１  本体側フック部
１０ａ、１１ａ  第一の面
１０ｂ、１１ｂ  第二の面
１０ｃ、１１ｃ  第三の面
１３  空間
【図１】
0004169863.tif 000002
【図２】
0004169863.tif 000003
【図３】
0004169863.tif 000004
【図４】
0004169863.tif 000005
【図５】
0004169863.tif 000006